【手続補正書】
【提出日】平成18年12月1日(2006.12.1)
【手続補正１】
【補正対象書類名】明細書
【補正対象項目名】全文
【補正方法】変更
【補正の内容】
【書類名】  明細書
【発明の名称】  画像伝送装置
【特許請求の範囲】
【請求項１】  画像送信装置および画像受信装置が通信路を介して接続された画像伝送装置であって、
前記画像送信装置は、
対象物を撮影して画像情報として出力する画像撮影手段と、
撮影位置を示す位置情報を受信する位置情報受信手段と、
前記画像情報および前記位置情報を通信路に出力する送信手段とを備え、
前記画像受信装置は、
前記画像情報および前記位置情報を受信する受信手段と、
前記位置情報から地図上の位置を検索し地図情報として出力する地図情報記録手段と、
前記画像情報および前記地図情報を表示する画像表示手段とを備えることを特徴とする画像伝送装置。
【発明の詳細な説明】
【０００１】
【発明の属する技術分野】
本発明は、例えば防災無線システムにおいて静止画等の画像情報の伝送を行うための画像伝送装置に関するものである。
【０００２】
【従来の技術】
図２は、従来の画像伝送装置の構成を示すブロック図で、画像送信装置１と画像受信装置２とが無線通信路３を介して接続された構成を示している。
【０００３】
画像送信装置１は、対象物を撮影して画像情報として出力する画像撮影装置１１と、送信側伝送装置１２と、画像情報を変調して送信する無線送信機１３と、アンテナ１４とを備えている。送信側伝送装置１２は制御部１２ａ、画像記録部１２ｂ、信号出力部１２ｃからなっている。
【０００４】
また、画像受信装置２は、アンテナ２１と、受信信号を復調する無線受信機２２と、受信側伝送装置２３とを備えている。受信側伝送装置２３は信号入力部２３ａと、制御部２３ｂと、画像表示部２３ｃとからなっている。
【０００５】
この構成において、画像撮影装置１１で撮影した被写体の画像情報は、送信側伝送装置１２の制御部１２ａに入力され、画像記録部１２ｂに記録される。画像記録部１２ｂに記録された画像情報は、信号出力部１２ｃを通じて無線送信機１３に出力され、アンテナ１４から無線送信される。
【０００６】
無線送信された画像情報は画像受信装置２のアンテナ２１で受信され、無線受信機２２で復調されて受信側伝送装置２３の信号入力部２３ａを通じて制御部２３ｂに入力される。制御部２３ｂは入力された画像情報を画像表示部２３ｃに表示する。
【０００７】
【発明が解決しようとする課題】
前述した従来の画像伝送装置は、遠隔地で撮影した静止画等の画像情報を画像送信装置から送信し、画像受信装置で受信して表示するのみであった。このため、撮影場所については、送信者が画像情報を撮影して送信した後に、電話やファクシミリなど他の通信手段によって画像情報の撮影場所を連絡する必要があり、連絡がなければ受信者には撮影場所が分らないという課題を有していた。
【０００８】
本発明は、このような従来の課題を解決するためになされたもので、送信者が撮影場所を別途他の通信手段で連絡しなくても、受信者側に撮影位置を示す位置情報を伝送することができる画像伝送装置を提供することにある。
【０００９】
【課題を解決するための手段】
本発明の画像伝送装置は、画像送信装置および画像受信装置が通信路を介して接続された画像伝送装置であって、画像送信装置は、対象物を撮影して画像情報として出力する画像撮影手段と、撮影位置を示す位置情報を出力する位置情報受信手段と、画像情報および位置情報を入力する送信側伝送手段と、画像情報および位置情報を通信路に出力する送信手段とを備え、画像受信装置は、画像情報および位置情報を受信する受信手段と、位置情報から地図上の位置を検索し地図情報として出力する地図情報記録手段と、画像情報および地図情報を表示する画像表示手段とを備えるものである。
【００１０】
この構成により、画像情報と同時に伝送された位置情報を使用して、画像情報と共に地図情報を画像表示手段に表示できるため、送信者が別途撮影場所を連絡しなくても受信者は撮影場所を即座に特定できることとなる。
【００１１】
【発明の実施の形態】
以下、本発明の実施の形態について、図１を用いて説明する。
【００１２】
図１は、本発明による画像伝送装置の一実施の形態を示すブロック図で、画像送信装置１と画像受信装置２とが無線通信路を介して接続された構成を示している。なお、以下の説明では、前述の図２に示す構成部分と同一部分には同一符号を付して説明する。
【００１３】
同図において、画像送信装置１は、対象物を撮影して画像情報として出力する画像撮影装置１１と、位置情報を出力する例えばＧＰＳ（Global Positioning System ）による位置情報受信機１５と、画像情報および位置情報を入力する送信側伝送装置１２と、画像情報および位置情報を変調して送信する無線送信機１３と、アンテナ１４とを備えている。送信側伝送装置１２は制御部１２ａと、入力された画像情報および位置情報を記録する画像記録部１２ｂと、信号出力部１２ｃとを備えている。
【００１４】
また、画像受信装置２は、アンテナ２１と、受信信号を復調する無線受信機２２と、受信側伝送装置２３とを備えている。受信側伝送装置２３は画像情報および位置情報を入力する信号入力部２３ａと、制御部２３ｂと、位置情報から地図情報を検索するための地図情報記録部２３ｄと、画像情報と地図情報を同時に表示する画像表示部２３ｃとを備えている。地図情報としては、地図そのものを表す画像情報であってもよいし、住所を表す文字情報であってもよい。
【００１５】
次に、このように構成された画像伝送装置の動作について説明する。まず、撮影対象となる画像を撮影するために画像撮影装置１１を被写体に向け、送信側伝送装置１２の制御部１２ａに画像情報を入力する。
【００１６】
そのとき同時に位置情報受信機１５から出力される位置情報を入力し、画像情報と同時に画像記録部１２ｂに記録する。画像記録部１２ｂに記録された画像情報と位置情報は、信号出力部１２ｃを通じて無線送信機１３に出力され、変調処理された後にアンテナ１４から電波として無線送信される。これにより、送信者は撮影した場所を他の通信手段で受信者に別途連絡する必要がない。
【００１７】
こうして無線送信された電波は画像受信装置２のアンテナ２１で受信され、無線受信機２２で復調されて受信側伝送装置２３の信号入力部２３ａを通じて制御部２３ｂに入力される。
【００１８】
制御部２３ｂは入力された画像情報と位置情報を分離し、位置情報をアドレスとして地図情報記録部２３ｄから地図情報を検索し、画像情報と共にこの地図情報を画像表示部２３ｃに表示する。これにより、受信者は撮影した場所を視覚的に認識することが可能となる。
【００１９】
なお、前述の実施の形態では、画像送信装置１と画像受信装置２との間を無線通信路を用いて信号伝送しているが、有線通信路を用いて信号伝送する構成としてもよい。この場合、無線信号が到達しない場所であっても画像情報と位置情報の同時伝送が可能となる。
【００２０】
また、画像受信装置２に大容量記憶装置を有したパーソナルコンピュータを追加した構成であってもよい。この場合は、伝送された画像情報と位置情報を大容量記憶装置に複数記録することで、任意の画像情報の位置情報から地図情報を検索し、地図とともに画像情報をパーソナルコンピュータ画面に表示することが可能となる。
【００２１】
【発明の効果】
以上のように本発明によれば、画像送信装置は撮影した被写体の画像情報と共に撮影場所を特定する位置情報を送信するので、送信者は撮影場所を他の通信手段によって受信者に別途連絡する必要がなく、また、画像受信装置は画像表示部に画像情報と共にその画像情報を撮影した場所を特定する地図情報を表示するので、受信者は即座に撮影場所を特定できるという有利な効果が得られる。
【図面の簡単な説明】
【図１】
本発明による画像伝送装置の一実施の形態を示すブロック図
【図２】
従来の画像伝送装置を示すブロック図
【符号の説明】
１    画像送信装置
２    画像受信装置
３    無線通信路
１１    画像撮影装置
１２    送信側伝送装置
１２ａ  制御部
１２ｂ  画像記録部
１２ｃ  信号出力部
１３    無線送信機
１４    アンテナ
２１    アンテナ
２２    無線受信機
２３    受信側伝送装置
２３ａ  信号入力部
２３ｂ  制御部
２３ｃ  画像表示部
２３ｄ  地図情報記録部
【手続補正２】
【補正対象書類名】図面
【補正対象項目名】全図
【補正方法】変更
【補正の内容】
【図１】
2001160199.tif 000001
【図２】
2001160199.tif 000002